(57)【要約】【課題】  全体の形状を小型化することができるエレベータ用調速機を提供する。【解決手段】  エレベータ用調速機は、ガバナベース９に取付けられたシーブ２と、シーブ２と同心に配置されたラチェット３と、ラチェット３に取付けられたロッド５とを備えている。ガバナベース９に、シーブ２のガバナロープ１１を押付けるシュー１０を有するシューベース７が取付けられている。ロッド５の先端に、シューベース７を押付ける偏心ローラ１４が取付けられている。ロッド５は偏心ローラ１４の一軸１４ａに取付けられ、偏心ローラ１４の他軸１４ｂにガバナベース９に取付けられた偏心ローラ取付ベース１５が取付けられている。偏心ローラ１４とガバナベース９との間にコイル状スプリング６が取付けられている。【選択図】  図１
2006052058.tif 000002
【特許請求の範囲】
【請求項１】
ガバナベースに回動自在に取付けられるとともに爪を有するシーブと、
シーブに同軸に配置されるとともに、シーブの爪に係合してシーブとともに同期に回転するラチェットと、
ラチェットに取付けられたロッドと、
ガバナベースに回動自在に取付けられ、シーブに掛け渡されたガバナロープを押付けるシューを有するシューベースと、
ロッドの先端に一軸を介して回転自在に取付けられるとともにシューベースを押圧する偏心ローラと、
一端が偏心ローラの他軸に回転自在に連結され、他端がガバナベースに取付けられた偏心ローラ取付ベースと、
偏心ローラとガバナベースとを連結するスプリングとを備え、
シューベースおよび偏心ローラ取付ベースは、互いに平行にかつロッドに対して直交して配置されていることを特徴とするエレベータ用調速機。
【請求項２】
偏心ローラのうちシューベースと反対側の部分に、切欠部が形成されていることを特徴とする請求項１記載のエレベータ用調速機。
【請求項３】
偏心ローラとガバナベースとの間に、複数のスプリングが設けられていることを特徴とする請求項１または２のいずれか記載のエレベータ用調速機。
【請求項４】
ガバナベースに回動自在に取付けられるとともに爪を有するシーブと、
シーブに同軸に配置されるとともに、シーブの爪に係合してシーブとともに同期に回転するラチェットと、
ラチェットに取付けられたロッドと、
ガバナベースに回動自在に取付けられ、シーブに掛け渡されたガバナロープを押付けるシューを有するシューベースと、を備え、
ロッドはシューベースを貫通して延び、ロッドの先端にシューベースを押圧する板バネを設けたことを特徴とするエレベータ用調速機。
【請求項５】
ガバナベースに回動自在に取付けられるとともに爪を有するシーブと、
シーブに同軸に配置されるとともに、シーブの爪に係合してシーブとともに同期に回転するラチェットと、
ラチェットに取付けられたロッドと、
ガバナベースに回動自在に取付けられ、シーブに掛け渡されたガバナロープを押付けるシューを有するシューベースと、を備え、
ロッドの先端に、ガバナベースに回転自在に取付けられたレバーを回転自在に取付け、
レバーとシューベースはガバナベースに同心に取付けられ、かつレバーとシューベースとの間にスプリングを介在させたことを特徴とするエレベータ用調速機。
【発明の詳細な説明】
【技術分野】
【０００１】
本発明は、エレベータ用調速機に係り、とりわけ全体形状を小さく抑えることができるエレベータ用調速機に関する。
【背景技術】
【０００２】
図７に従来のキャッチ式エレベータ用調速機１の一例を示し、その機構を以下に示す。
【０００３】
エレベータ用調速機１はシーブ２と、シーブ２に取付けられたラチェット３とを有し、シーブ２には爪４が取付けられている。
【０００４】
ラチェット３にロッド５が取付けられ、ロッド５の先端にシュー１０を有するシューベース７が取付けられている。ロッド５の延長線上にシューベース７を押圧するコイル状のスプリング６が設けられ、このスプリング６はストッパ６ａにより保持されている。
【０００５】
なお、シーブ２と、ラチェット３と、シューベース７は、いずれもガバナベース９に回転自在に取付けられている。
【発明の開示】
【発明が解決しようとする課題】
【０００６】
上述のように、図７に示すエレベータ用調速機において、ロッド５の延長線上にシューベース７の上部にスプリング６が取付けられている。このためスプリング６の長さだけ、エレベータ用調速機１の形状が大きくなる。
【０００７】
このような場合、エレベータ用調速機の形状を抑えることが求められている。
【０００８】
本発明はこのような旨を考慮してなされたものであり、全体形状を小さく抑えることができるエレベータ用調速機を提供することを目的とする。
【課題を解決するための手段】
【０００９】
本発明は、ガバナベースに回動自在に取付けられるとともに爪を有するシーブと、シーブに同軸に配置されるとともに、シーブの爪に係合してシーブとともに同期に回転するラチェットと、ラチェットに取付けられたロッドと、ガバナベースに回動自在に取付けられ、シーブに掛け渡されたガバナロープを押付けるシューを有するシューベースと、
ロッドの先端に一軸を介して回転自在に取付けられるとともにシューベースを押圧する偏心ローラと、一端が偏心ローラの他軸に回転自在に連結され、他端がガバナベースに取付けられた偏心ローラ取付ベースと、偏心ローラとガバナベースとを連結するスプリングとを備え、シューベースおよび偏心ローラ取付ベースは、互いに平行にかつロッドに対して直交して配置されていることを特徴とするエレベータ用調速機である。
【００１０】
本発明は、偏心ローラのうちシューベースと反対側の部分に、切欠部が形成されていることを特徴とするエレベータ用調速機である。
【００１１】
本発明は、偏心ローラとガバナベースとの間に、複数のスプリングが設けられていることを特徴とするエレベータ用調速機である。
【００１２】
本発明は、ガバナベースに回動自在に取付けられるとともに爪を有するシーブと、
シーブに同軸に配置されるとともに、シーブの爪に係合してシーブとともに同期に回転するラチェットと、ラチェットに取付けられたロッドと、ガバナベースに回動自在に取付けられ、シーブに掛け渡されたガバナロープを押付けるシューを有するシューベースと、を備え、ロッドはシューベースを貫通して延び、ロッドの先端にシューベースを押圧する板バネを設けたことを特徴とするエレベータ用調速機である。
【００１３】
本発明は、ガバナベースに回動自在に取付けられるとともに爪を有するシーブと、シーブに同軸に配置されるとともに、シーブの爪に係合してシーブとともに同期に回転するラチェットと、ラチェットに取付けられたロッドと、ガバナベースに回動自在に取付けられ、シーブに掛け渡されたガバナロープを押付けるシューを有するシューベースと、を備え、ロッドの先端に、ガバナベースに回転自在に取付けられたレバーを回転自在に取付け、レバーとシューベースは画な場ベースに同心に取付けられ、かつレバーとシューベースとの間にスプリングを介在させたことを特徴とするエレベータ用調速機である。
【発明の効果】
【００１４】
以上のように本発明によれば、ロッドの延長線上にコイルバネを設ける場合に比べて、エレベータ用調速機を全体として小型化することができる。
【発明を実施するための最良の形態】
【００１５】
以下、図面を参照して本発明の実施の形態について説明する。
【００１６】
図１乃至図６は本発明によるエレベータ用調速機の実施の形態を示す図である。
【００１７】
図１に示すように、エレベータ用調速機１はガバナベース９と、ガバナベース９に回転自在に取付けられるとともに爪４を有するシーブ２と、シーブ２に同軸に配置されるとともにシーブ２の爪４に係合してシーブ２とともに同期して回転するラチェット３とを備えている。
【００１８】
ラチェット３にはロッド５が取付けられており、さらにロッド５の先端側にはガバナベース９に回動軸７ａを介して回動自在に取付けられたシューベース７が配置されている。このシューベース７はシーブ２に掛け渡されたガバナロープ１１を押付けるシュー１０を有している。
【００１９】
またロッド５の先端に、偏心ローラ１４が偏心ローラ１４の一軸１４ａを介して取付けられており、偏心ローラ１４の他軸１４ｂに偏心ローラ取付ベース１５が回動自在に取付けられている。この偏心ローラ取付ベース１５は、ガバナベース９に回動軸１５ａを介して回動自在に取付けられている。
【００２０】
また偏心ローラ１４はシューベース７を押圧し、このシューベース７はシーブ２に掛け渡されたガバナロープ１１をシュー１０により押付けるようになっている。
【００２１】
また、偏心ローラ１４とガバナベース９との間に、偏心ローラ１４を他軸１４ｂを中心に回動させてシューベースから引離すコイル状のスプリング６が取付けられている。
【００２２】
またシューベース７、偏心ローラ取付ベース１５、およびスプリング６は、互いに平行に配置され、かつ各々ロッド５に対して直交している。
【００２３】
次にこのような構成からなる本実施の形態の作用について図１および図６により説明する。
【００２４】
図１および図６において、ガバナ動作時にはシーブ２の爪４がラチェット３にかみこみ、ラチェット３がシーブ２と共に回転する。ラチェット３の回転により、ロッド５が引張られ、ロッド５は偏心ローラ１４の一軸１４ａを引張る。このとき、偏心ローラ１４は他軸１４ｂを中心にスプリング６の力に抗して反時計方向に回転する。反時計方向に回転する偏心ローラ１４はシューベース７を押付け、シューベース７に取付けられたシュー１０が、ガバナロープ１１を押付ける。ガバナロープ１１は、その押付け力によりかご又はＣ／Ｗのセフティリンク１２を動作させ、かご又は／Ｗのセフティリンク１２によりかご又はＣ／Ｗ１３が安全に停止する。
【００２５】
以上のように本実施の形態によれば、シューベース７、偏心ローラ取付ベース１５、およびスプリング６が互いに平行に配置され、かつシューベース７、偏心ローラ取付ベース１５、およびスプリング６が各々ロッド５に対して直交しているため、スプリング６をロッド５の延長線上に配置する場合に比較してエレベータ用調速機全体の形状を小さく抑えることができる。
【００２６】
次に図２により、本発明によるエレベータ用調速機の変形例について説明する。
【００２７】
図２に示す変形例は、偏心ローラ１４の形状が異なるのみであり、他は図１に示す実施の形態と略同一である。
【００２８】
図２において、図１に示す実施の形態と同一部分には同一符号を符して詳細な説明は省略する。
【００２９】
図２に示すように、偏心ローラ１４は一軸１４ａを介してロッド５に連結され、かつ他軸１４ｂを介して偏心ローラ取付ベース１５に連結されている。
【００３０】
また偏心ローラ１４のうち、シューベース７と反対側の部分は切欠かれて切欠部１６を形成している。このため偏心ローラ１４はシューベース７に当接するカム形状をもつ。
【００３１】
図２において、偏心ローラ１４のうちシューベース７と反対側の部分に切欠部１６が形成されているため、エレベータ用調速機１を更に小型化することができる。
【００３２】
次に図３により本発明によるエレベータ用調速機の更なる変形例について説明する。
【００３３】
図３に示す変形例は、偏心ローラ１４とガバナベース９との間に２本のスプリング６を並列に設けたものであり、他は図１に示す実施の形態と略同一である。
【００３４】
図３において、図１に示す実施の形態と同一部分には同一符号を符して詳細な説明は省略する。
【００３５】
次に図４により本発明によるエレベータ用調速機のさらなる変形例について説明する。
【００３６】
図４に示す変形例において、ロッド５がシューベース７を貫通して延び、ロッド５の先端にシューベース７をシーブ２側へ向って押圧する板バネ１８が設けられている。
【００３７】
このため、板バネ１８は、ストッパ１８ａとシューベース７との間に保持されている。
【００３８】
図４において、図１に示す実施の形態と同一部分には同一符号を符して詳細な説明は省略する。
【００３９】
図４において、ガバナ動作時にロッド５が引張られ、このロッド５によって板バネ１８からシューベース７に押付け力が加わる。
【００４０】
シューベース７に押付け力が加わると、シューベース７のシュー１０がガバナロープ１１を押付ける。
【００４１】
図４に示すように、板バネ１８はコイル状のスプリングに比較して薄型となっているため、エレベータ用調速機の全体型状を小さく抑えることができる。
【００４２】
次に図５により、本発明によるエレベータ用調速機の更なる変形例について説明する。
【００４３】
図５に示す変形例において、ロッド５の先端にレバー１９が回転自在に取付けられ、このレバー１９は回動軸１９ａを介してガバナベース９に連結されている。
【００４４】
またレバー１９とシューベース７は、ガバナベース９に回動軸１９ａ、７ａを介して取付けられ、回動軸１９ａ、７ａは互いに同心に配置されている。
【００４５】
また回動軸１９ａ、７ａには、レバー１９とシューベース７との間にコイル状のスプリング１７が設けられている。
【００４６】
図５において、図１に示す実施の形態と同一部分には同一符号を符して詳細な説明は省略する。
【００４７】
図５において、ガバナ動作時にロッド５が引張られ、このロッド５によってレバー１９が回転する。レバー１９に回転力が加わると、スプリング１７を介してシューベース７に押付力が加わり、シューベース７のシュー１０がガバナロープ１１を押付ける。
【００４８】
図５に示すように、スプリング１７はガバナベース９内の回動軸１９ａ、７ａに取付けられているため、エレベータ用調速機１の全体形状を小型化することができる。
【図面の簡単な説明】
【００４９】
【図１】本発明によるエレベータ用調速機の一実施の形態を示す図。
【図２】本発明によるエレベータ用調速機の変形例を示す図。
【図３】本発明によるエレベータ用調速機の他の変形例を示す図。
【図４】本発明によるエレベータ用調速機の他の変形例を示す図。
【図５】本発明によるエレベータ用調速機の他の変形例を示す図。
【図６】エレベータ用調速機のガバナ動作時の作用を示す図。
【図７】従来のエレベータ用調速機を示す図。
【符号の説明】
【００５０】
１  エレベータ用調速機
２  シーブ
３  ラチェット
４  爪
５  ロッド
６  コイル状スプリング
７  シューベース
９  ガバナベース
１０  シュー
１１  ガバナロープ
１４  偏心ローラ
１４ａ  偏心ローラの一軸
１４ｂ  偏心ローラの他軸
１５  偏心ローラ取付ベース
１６  板バネ
１７  コイル状スプリング
１９  レバー
【図１】
2006052058.tif 000003
【図２】
2006052058.tif 000004
【図３】
2006052058.tif 000005
【図４】
2006052058.tif 000006
【図５】
2006052058.tif 000007
【図６】
2006052058.tif 000008
【図７】
2006052058.tif 000009